(57)【要約】  基材と、近接する第２の表面部分より高くなった、長軸方向に延びる第１の表面部分を備え、前記基材により支えられた織物パイル面と、前記第１の表面部分の上端より低い高さで、前記パイル面における前記第１の表面部分の側に前記第１の表面部分と同一に広がっている、少なくとも一つの糸ストランドであって、前記第１の表面部分の色彩と異なる色彩を有し、前記側から織物を見る者には前記糸ストランドと第１の表面部分との両方の色彩が見え、且つ、反対側から見る者には前記糸ストランドの色彩が見えることなく前記第１の表面部分の色彩が見えることにより、見る視点の変化によって前記織物の表面における色彩変化が出現される糸ストランドと、を含んでなることを特徴とする織物が提供される。【特許請求の範囲】
【請求項１】
基材と、
近接する第２の表面部分より高くなった、長軸方向に延びる第１の表面部分を備え、前記基材により支えられた織物パイル面と、
前記第１の表面部分の上端より低い高さで、前記パイル面における前記第１の表面部分と同じ一側に前記第１の表面部分と同一に広がっている、少なくとも一つの糸ストランドであって、前記第１の表面部分の色彩と異なる色彩を有し、前記一側から織物を見る者には前記糸ストランドと第１の表面部分との両方の色彩が見え、且つ、反対側から見る者には前記糸ストランドの色彩が見えることなく前記第１の表面部分の色彩が見えることにより、見る視点の変化によって前記織物の表面における色彩変化が出現される糸ストランドと、
を含んでなることを特徴とする織物。
【請求項２】
前記第１の表面部分及び第２の表面部分が、前記基材を貫通して房状の糸を含んでなることを特徴とする請求項１に記載の織物。
【請求項３】
前記糸ストランドが、前記第２の表面部分の高さに略対応する高さで、前記第１の表面部分の一側に沿って延在していることを特徴とする請求項１に記載の織物。
【請求項４】
前記第１の表面部分が、前記第２の表面部分のきめより大きなきめを備えていることを特徴とする請求項１に記載の織物。
【請求項５】
前記第１の表面部分における前記パイル面の上端より低い高さで、前記パイル面における前記第１の表面部分と反対側に前記第１の表面部分と同一に広がっている第２の糸ストランドであって、前記第１の糸ストランド及び前記第１の表面部分の色彩とは異なる色彩を有し、前記反対側から当該織物を見る者には、前記第１の糸ストランドの色彩が見えることなく前記第２の糸ストランドと第１の表面部分との両方の色彩を見ることを可能とし、且つ、前記一側から見る者には、前記第２の糸ストランドの色彩が見えることなく前記第１の糸ストランドと第１の表面部分との両方の色彩が見える第２の糸ストランドを少なくとも含んでなることを特徴とする請求項１に記載の織物。
【請求項６】
前記第２の糸ストランドが、前記第２の表面部分の前記パイル面の高さに略対応する高さで、前記第１の表面部分の前記一側に沿って延在していることを特徴とする請求項５に記載の織物。
【請求項７】
前記第１の表面部分が、前記第２の表面部分のきめより大きなきめを備えていることを特徴とする請求項５に記載の織物。
【請求項８】
基材と、
第１の糸からなる細長い第１の表面部分と、第２の糸からなる細長い第２の表面部分と、を含み、前記第１の表面部分が第２の表面部分より高くなったカーペット面と、
前記第１の表面部分の前記第１の糸が形成する、長軸方向に延びて横方向に間隔が設けられた複数のリブであって、前記第２の表面部分の前記第２の糸が当該リブ間に配置されるようなリブと、
前記リブの上端より低い高さで、前記各リブの一側に配置された少なくとも一つの糸ストランドを備え、前記カーペット面に形成された複数の細長い糸ストランドであって、前記リブの糸の色彩とは異なる色彩を有し、前記一側からカーペットを見る者には前記糸ストランドと前記リブとの両方の色彩が見え、且つ、反対側から見る者には前記糸ストランドの色彩が見えることなく前記リブの色彩が見えることにより、見る視点の変化によって前記カーペットの表面における色彩変化が出現される糸ストランドと、
を含んでなることを特徴とするカーペット。
【請求項９】
前記糸が基材を介して房状に形成され、前記カーペット面が房状ループ又はカットループパイルのいずれか一つを含んでなることを特徴とする請求項８に記載のカーペット。
【請求項１０】
前記糸ストランドが、前記第２の表面部分の高さに略対応する高さで、前記第１の表面部分の一側に沿って延在していることを特徴とする請求項８に記載のカーペット。
【請求項１１】
前記第１の表面部分が、前記第２の表面部分のきめより大きなきめを備えていることを特徴とする請求項８に記載のカーペット。
【請求項１２】
前記第１の表面部分の上端より低い高さで、前記カーペット面における前記第１の表面部分と反対側に前記第１の表面部分と同一に広がっている第２の糸ストランドであって、前記第１の糸ストランド及び前記第１の表面部分の色彩とは異なる色彩を有し、前記反対側から当該カーペットを見る者には前記第１の糸ストランドの色彩が見えることなく前記第２の糸ストランドと第１の表面部分との両方の色彩が見え、且つ、前記一側から見る者には前記第２の糸ストランドの色彩が見えることなく前記第１の糸ストランドと第１の表面部分との両方の色彩が見える第２の糸ストランドを少なくとも含んでなることを特徴とする請求項８に記載のカーペット。
【請求項１３】
前記第２の糸ストランドが、前記第２の表面部分の高さに略対応する高さで、前記第１の表面部分の前記一側に沿って延在していることを特徴とする請求項１２に記載のカーペット。
【請求項１４】
前記第１の表面部分が、前記第２の表面部分のきめより大きなきめを備えていることを特徴とする請求項１２に記載のカーペット。
【発明の詳細な説明】
【技術分野】
【０００１】
本発明は、可変視覚効果を有する表面を備えた織物に関し、より詳細には、観察者の見方（視点）によって、カーペットの表面色彩において明白な変化を生じさせるカーペット面を備えた、ロール状又はタイル状のカーペットに関する。
【背景技術】
【０００２】
多くのそして異なる種類の表面効果が、カーペットを含む織物ではなされてきた。例えば、変化に富んだ高さの表面部分を備えたカーペットでは、しばしば心地良い美的特性が創出される。例えば、特許文献１には、ブークレ、ビロード、又はハイループ効果のような、デザイン及び色彩の多様性を提供するために変化し得る効果が提供された織カーペットが開示されている。特許文献２では、カーペットの縦方向および横方向において異なる色彩及び模様効果が表現された視覚的に明確なパイル領域を備えた房状パイル織物が提供されている。少なくとも２つの異なる色彩の糸が、房の列に交互に整列され、パイル領域は、前記糸の一方が実質的に隠されている第１の領域と、前記糸の他方が実質的に隠されている第２のパイル領域と、両方の糸がほぼ等しく見える第３のパイル領域と、を含んでいる。特許文献３では、対照的な色彩の複数の葉脈を備えた葉模様のパイル織物が、開示されている。特許文献４では、異なる色彩の合成ポリマーの複合糸が様々な模様に形成され、視覚効果を与えている。
【特許文献１】米国特許第６，３６７，５１４号明細書
【特許文献２】米国特許第４，０００，７０７号明細書
【特許文献３】米国特許第２，６９９，５９３号明細書
【特許文献４】米国特許第３，８９９，５６２号明細書
【発明の開示】
【発明が解決しようとする課題】
【０００３】
上記特許文献に開示されたこれらのカーペット又は織物は、異なる視点からカーペットを見るとカーペットの色彩が変化するような織物又はカーペットを提供するものではない。
【課題を解決するための手段】
【０００４】
本発明の好適な実施例では、例えばカーペットのような織物には、見る者の見方に応じて色彩が変化するような織物面が形成されている。この識別可能な色彩変化を達成するために、織物構成、きめ及び色彩は、見る者が異なる見方から見る織物の色彩に影響を与える、特定の幾何学的形状の創造に使用される。本発明の示された実施例では、織物の構成は、平らな糸面から持ち上がり、横方向に間隔を有して配置された複数の細長い反復的な糸のリブを含むことが好ましい。リブは、突出し、リブに跨がれた平らな面の上方に故意にかさ高く形成され、視覚効果及び構成の両方において際立っている。好ましくは、突起リブ及び平らな面は、基材に房状に付けられた糸ループからなり、高パイル面及び低パイル面を形成する。リブの上端より低い平らな面に、リブとは異なる色彩をした一つ又は複数の糸ストランドが挿入され、好ましくは、リブと同一に広かりをもって配置される。異なる色彩の糸ストランドは、複数のリブの片側又は両側に連続して設けられ得る。
【０００５】
織物面を異なる見方（視点）から見ると、見る者の視点に応じて、表面の色彩が、リブの色彩から糸ストランドの色彩へ、且つその反対も同様に、変化するようである。例えば、複数のリブの一の側だけに配置された糸ストランドを赤とし得る。突起リブ及びその間の平らな面の糸を黒とし得る。織物をリブの一の側から見ると、見る者は糸ストランド及び突起リブの色彩が見えるだろう。赤色の糸ストランドは、織物面を見る側から連続的に配置されている。鋭角度では、カーペットは黒及び赤のリボンに見える。見る者の視点を鋭角にする、すなわち、織物面に対する鋭角度を鋭くするにつれ、リブの黒が減って赤い色が支配的になり、この結果、見る者は事実状完全に赤いカーペットを見ることになる。しかしながら、リブの反対側からカーペットを見ると、赤い糸ストランドは突起リブによって視界から隠れ、カーペットは直立したリブの色、例えば黒に見える。
【０００６】
更なる実施例では、各リブの反対側に、第１の糸ストランド及びリブの色彩とは異なる色彩の一つ又は複数の糸ストランドが設けられる。例えば、第１の糸ストランドとは対照的な色彩、例えば銀色の第２の糸ストランドが、各リブの上端より下方に、赤い糸ストランドの向かい側のリブに直接近接して織物に挿入される。見る者の視点に応じて、反対側から見ると、織物面は黒及び銀色の色彩のリボンからなるように見えるだろう。見る者の視点がカーペット面に対して鋭角になるにつれ、織物の認識される色彩は黒及び銀色のリボンから顕著な銀色に変更するだろう。見る者の視点が面の上方に反転していくと、黒、赤及び銀色のリボンが黒及び赤のリボンに変わり、最終的に第１の糸ストランドの色、すなわち赤に変更するように見える。その逆も同様である。この織物の視覚効果は、小売店や空港のような広い開放された空間に適用されたカーペットにおいて特に有用である。例えば、蛇行した方法で、このような広い領域を通過する人は、カーペットの色彩における識別される変化を見るだろう。これによって、実際にはカーペットの構成に何の変化がないにも関わらず、カーペットの色彩変化の幻想を生じさせる。
【０００７】
本発明に基づく好適な実施例では、基材と、近接する第２の表面部分より高くなった、長軸方向に延びる第１の表面部分を備え、前記基材により支えられた織物パイル面と、前記第１の表面部分の上端より低い高さで、前記パイル面における前記第１の表面部分の側に前記第１の表面部分と同一に広がっている、少なくとも一つの糸ストランドであって、前記第１の表面部分の色彩と異なる色彩を有し、前記側から織物を見る者には前記糸ストランドと第１の表面部分との両方の色彩が見え、且つ、反対側から見る者には前記糸ストランドの色彩が見えることなく前記第１の表面部分の色彩が見えることにより、見る視点の変化によって前記織物の表面における色彩変化が出現される糸ストランドと、を含んでなることを特徴とする織物が提供される。
【０００８】
本発明に基づく他の好適な実施例では、基材と、第１の糸からなる細長い第１の表面部分と、第２の糸からなる細長い第２の表面部分と、を含み、前記第１の表面部分が第２の表面部分より高くなったカーペット面と、前記第１の表面部分の前記第１の糸が形成する、長軸方向に延びて横方向に間隔が設けられた複数のリブであって、前記第２の表面部分の前記第２の糸が当該リブ間に配置されるようなリブと、前記リブの上端より低い高さで、前記各リブの一側に配置された少なくとも一つの糸ストランドを備え、前記カーペット面に形成された複数の細長い糸ストランドであって、前記リブの糸の色彩と異なる色彩を有し、前記一側からカーペットを見る者には前記糸ストランドと前記リブとの両方の色彩が見え、且つ、反対側から見る者には前記糸ストランドの色彩が見えることなく前記リブの色彩が見えることにより、見る視点の変化によって前記カーペットの表面における色彩変化が出現される糸ストランドと、を含んでなることを特徴とするカーペットが提供される。
【発明を実施するための最良の形態】
【０００９】
つぎに図面を参照し、特に図１では、一般に符号１０で指示されている織物製品が示されており、当該織物製品は、壁又は天井の覆い、絨毯のような床の覆いであって、且つ、室内装飾繊維、商業用内装のパネル繊維、ヘッドライナーを始めとする列車、飛行機又は船舶用の内装繊維／カーペット、自動車の座席材料及びフロアーマットに、ロール状又はタイル状に提供され得る。図３に示すように、織物製品は、織物の視覚又は磨耗面（wear surface）１４を形成する織物繊維が固定される基材１２を含み得る。織物の視認可能又は磨耗面１４を形成する織物繊維は、例えば、房状パイル面又は房状表面のカットループを形成する房状ループを含んでなり得る。
【００１０】
本発明の好適な実施例によれば、織物面１４、例えば房状ループパイル面１４は、個人が織物面を見る際に織物面に対する各個人の視点によって感知される織物面の色彩が変化する、幾何学的形状の創作に利用される。図示された好適な実施例では、織物は、横方向にそれぞれ空間を設けて配置された複数の細長い突起リブ１６よりなり、房状繊維で形成された第１の表面部分を含む。図１に示すように、突起リブ１６は織物の表面にわたって繰返し設けられている。従って、リブ１６は、突起リブ１６同士の間の近接又は第２の織物面部分を形成する織物繊維に対して起立している。リブ１６を形成する繊維は、織物面において容易に明確に識別できて視認可能な、はっきりとして顕著なリブであって、第２の表面部分１８より上方に上げられた高さである。
【００１１】
近接する突起リブ１６同士の間には、第２の織物面部分１８を形成する複数の繊維が設けられている。これらの部分１８は同様に房状ループ又は房状カットループパイル面を形成し得る。好適な房状ループの実施例では、表面部分１８のループは、これらの繊維ループと表面部分１８がリブ１６の先端及び表面部分１５の高さより実質的に低い高さになるように、基材１２にきつく引かれている。図１及び図３には、リブ１６の第１の表面部分１５を形成して縦方向に延びる三つ又は四つの繊維の列と、中間表面部分１８を形成して縦方向に延びる三つの繊維の列と、が図示されているが、表面部分１５及び表面部分１８の個数は、いかなる特定の織物面設計に求められるように、増加又は減少され得る。
【００１２】
知覚色彩変化視覚効果を提供するため、例えばストランド２０のような一つ又は複数の糸ストランドが、製造過程中に第１の突起部分１５、すなわちリブ１６の一方の側に沿って挿入される。例えば、図３に示されているように、糸ストランド２０は、基材１２においてリブ１６の一方の側のすぐ、すなわち図２に示されるリブ１６のそれぞれのちょうど右側に配置されている。糸ストランド２０は、部分１５及び１８を形成する繊維とは異なる色であることが好ましい。例えば、部分１５及び１８の繊維はブラックであっても良いに対し、糸ストランド２０は赤であって良い。また、色彩アクセントストランド２０として、複数色彩空間染色糸が使用され得る。糸ストランド２０を直接リブ１６の一側に近接するように配置することで、糸ストランド２０は、織物の表面を見る個々の視点によって、見えたり見えなかったりする。例えば、図３に示されるように織物面の右側の視点２４（図３及び図２Ａ）から織物を見る者は、部分１５及び１８を形成する黒い糸ストランドと共に赤い糸ストランド２０が見えるだろう。従って、その視点から見られた織物面は、黒と赤の縞模様又はリボンの連続のようである。視点２４が織物面と鋭角を形成するにつれ、糸ストランド２０の赤の色彩が、織物面の知覚される色彩への黒い繊維の貢献を減らすように、織物の視覚外観を支配する傾向にある。極めて尖った鋭い角度の視点２４からでは、表面は赤が顕著のようである。しかし、観察者が織物の左側の視点２６（図３及び図２Ａ）からみると、部分１５の突起リブ１６は観察者から赤い糸ストランド２０が見えないようにする。その結果、観察者は視点２６からは、一色、例えば黒の織物面だけ見える（以下で説明される他の糸ストランド２２の目的を無視する）。従って、織物面を見る個人の視点によって、一の視点２６から見た織物面（ストランド２２を無視した）は、完全に黒となり得る。視点２６が視点２４の方へ移動するにつれ、表面は黒と赤との縞模様に見え得る。視点２６が視点２４に変わり角度が鋭くなるにつれ、表面は顕著に赤に見え得る。視点２６から見た際に、リブ１６が切り立っていて、その顕著性とかさにより、赤い繊維糸ストランドを事実上隠し、そして、赤い糸ストランドの繰り返しのために、反対側の視点２４からは実質的に赤に見え得る。
【００１３】
より好適な織物の形体では、更に一又は複数の異なる色彩の糸ストランド２２が織物面に配置されている。一つ又は複数の糸ストランド２２は、図１及び図３に示されているように、糸ストランドが配置されている側から、リブ１６の突起部分１５におけるそれぞれの反対側に配置されている。糸ストランド２０のように、横方向に近接して糸ストランド２２は基材１２に直接房状につけられ、好ましくはリブ１６の突起部分１５と同一の広がりをもつ。しかし、糸ストランド２２は  リブ１６及び糸ストランド２０の一方又は両方とは完全に異なる色となり得る。例えば、糸ストランド２２は銀色であり得る。織物のきめと糸ストランドとが与えられると、視点２４からは、銀色の糸ストランド２２は見ることができないことが予想される。この結果、視点２４の観察者に対する織物の外観は、視点２４が織物面に対して徐々に鋭い角度に近づくにつれて赤い色が支配するような、黒と赤との縞模様の連続からなる織物の外観となる。よって、銀色の糸ストランド２２は、視点２４からは見えない。
【００１４】
その一方、視点２６から、赤い糸ストランド２０は見えない。しかし、銀色の糸ストランド２２は見える。この結果、視点２６から、観察者は、視点２６が織物面１４に関して鋭い角度に移動するにつれて銀色が支配するような、黒と銀色との縞模様の連続からなる織物面を見る。よって、視点２４からは、織物面が、視点２４が織物面に対してより鋭い角度を形成するにつれて赤い色彩が支配するような赤と黒との縞模様の連続のように見えるが、視点２６からは、視点２６が織物面１４に対してより鋭い角度に移動するにつれて銀色が支配するような黒と銀色との縞模様の連続のように見える。
【００１５】
前述した識別される色彩の変化は、図２Ａ及び図２Ｂの比較から容易に確かめられ得る。図２Ａは視点２４からの眺めを示す。したがって、赤い糸ストランド２０は見え、銀色の糸ストランド２２は見えない。観察者には、赤い色のストランド２０と共に、第２の表面部分１８及びリブ１６の黒い色だけが見える。図２Ｂは視点２６からの眺めを示す。よって、赤い糸ストランドは視界から隠れ、銀色の糸ストランド２２が見える。この結果、観察者には、銀色のストランド２２と共に、第２の表面部分１８及びリブ１６の黒い色だけが見える。
【００１６】
また更に、視点２４及び２６の略中間の視点から見ると、例えば、織物面は、その中間に、更に異なる視覚外観を与える、黒、赤及び銀色の縞模様を有するように見えるだろう。織物がロールカーペット又はタイルカーペットとして提供され、小売店又は空港のような広くて開放された公共空間に敷かれる場所では、カーペットは、観察者の視点による作用として、赤、黒及び銀色の複合色彩と共にその色彩が赤から銀色に変わるだろう。この結果、視覚効果が、観察者と織物の表面との相対的な視点の作用として変化する。
【００１７】
織物の上記認識された色彩は代表する色彩であって、他の異なる色彩や、非連続な色彩を含む色彩の異なる配色が織物に提供され得ることが、予想されるだろう。更に、突起部分１６はカーペットに直線状に延びる必要なく、突起部分１５と共に糸ストランドが蛇行して観察者の視点によって異なる視覚効果を与えるように、突起部分１６が織物にわたってまだら模様又は非模様状に蛇行し得る。また、織物がカーペットタイル状に提供される場合、互いに平行または垂直に並んだ隣接するカーペットタイルの房状繊維が、認識される色彩変化の視覚効果を提供するように、カーペットタイルが配列され得る。
【００１８】
本発明を、現在、最も実践的で好ましい実施例を考慮したものに関して説明したが、本発明はこの開示した実施例に制限されるものではなく、反対に、特許請求の範囲の範囲を逸脱することなしに種々の変更や相当な手配を行うことが意図されていることを理解されたし。
【図面の簡単な説明】
【００１９】
【図１】本発明の視覚効果カーペットの好ましい実施例を示す、織物の断片的概要図である。
【図２Ａ】織物の一方側から鋭角に見た見通し図である。
【図２Ｂ】織物の他方側から鋭角に見た見通し図である。
【図３】図１の３−３線における断面概要を示す断面図である。
【符号の説明】
【００２０】
１０  織物
１２  基材
１４  織物面
１６  リブ
１８  第２の表面部分
２０、２２  糸ストランド
２４、２６  視点
【図１】
2007511670.tif 000002
【図２Ａ】
2007511670.tif 000003
【図２Ｂ】
2007511670.tif 000004
【図３】
2007511670.tif 000005
【国際調査報告】
2007511670.tif 000006